(57)【要約】【課題】機器の組み立て時間を短縮するとともに、電子部品への熱の影響を軽減する。【解決手段】絶縁性のハウジングは、ＦＰＣ５０を挿入する内部空間が設けられている。グランドコンタクト１３は、ハウジングに取り付けられ、リセプタクルコネクタに接続された同軸ケーブルの外部導体と接続可能な導電性のある部材である。導電性の信号コンタクト１２は、ハウジングに取り付けられ、同軸ケーブルの中心導体と接続可能な導電性の部材である。グランドコンタクト１３は、内部空間に挿入されたＦＰＣ５０を係止する係止部１３ｄと、ＦＰＣ５０に配設されたグランド接点５１ｇに接触する接点接触部１３ｃと、を備える。信号コンタクト１２は、係止部１３ｄに係止されたＦＰＣ５０に配設された信号接点５１ｓに押し当てられる弾性部材である押当部１２ｂを備える。【選択図】図７
2017168407.tif 000002
【特許請求の範囲】
【請求項１】
同軸ケーブルに電気的に接続されたリセプタクルコネクタと嵌合し、前記同軸ケーブルと基板とを電気的に接続するプラグコネクタであって、
前記基板を挿入する内部空間が設けられた絶縁性のハウジングと、
前記ハウジングに取り付けられ、前記リセプタクルコネクタに接続された前記同軸ケーブルの外導体と接続可能な導電性のグランド用コンタクトと、
前記ハウジングに取り付けられ、前記同軸ケーブルの内導体と接続可能な導電性の信号用コンタクトと、
を備え、
前記グランド用コンタクトは、
前記内部空間に挿入された前記基板を係止する係止部と、前記基板に配設された接地接点に接触する接触部と、を備え、
前記信号用コンタクトは、
前記係止部に係止された前記基板に配設された信号接点に押し当てられる弾性部材である押当部を備える、
プラグコネクタ。
【請求項２】
前記押当部は、
前記信号用コンタクトに固定された一方の固定端から、開放された他方の開放端まで延びる弾性部材であり、
前記固定端と前記開放端との間に前記信号接点と接触する突出部が形成され、
前記基板が前記内部空間に挿入されると、前記突出部が前記信号接点に押し当てられて、弾性変形する、
請求項１に記載のプラグコネクタ。
【請求項３】
前記グランド用コンタクトは、
前記基板の挿入方向に直交し、かつ、前記基板の幅広面に平行な方向において前記基板の両端を保持する一対の部材を有し、
前記係止部及び前記接触部は、前記一対の部材に形成されている、
請求項１に記載のプラグコネクタ。
【請求項４】
前記一対の部材それぞれは、前記内部空間に挿入される前記基板に押されて弾性変形可能であり、
前記係止部は、前記内部空間に挿入された前記基板に設けられた切り欠きと係止する、
請求項３に記載のプラグコネクタ。
【請求項５】
前記一対の部材は、
前記内部空間に挿入された前記基板をその厚み方向に挟み込むＵ字状の部材である、
請求項４に記載のプラグコネクタ。
【発明の詳細な説明】
【技術分野】
【０００１】
本発明は、プラグコネクタに関する。
【背景技術】
【０００２】
特許文献１には、同軸ケーブルと基板上の電気回路とを電気的に接続する電気コネクタが開示されている。この電気コネクタは、例えば、プラグコネクタと、そのプラグコネクタに嵌合されるリセプタクルコネクタとで構成されている。
【０００３】
プラグコネクタ及びリセプタクルコネクタは、互いの嵌合部分に、同軸ケーブルの中心導体又は基板の信号線と導通する信号伝送用の中心コンタクトと、同軸ケーブルの外部導体又は基板のグランド線と導通し、中心コンタクトと同心状に配置されたグランド用の外部コンタクトとをそれぞれ備えている。プラグコネクタ及びリセプタクルコネクタが嵌合する際に、中心コンタクト同士が接触するとともに外部コンタクト同士が接触することで、同軸ケーブルの中心導体と基板の信号線とが導通し、同軸ケーブルの外部導体と基板のグランド線とが導通して、同軸ケーブルと基板上の電気回路との電気的な接続が実現される。
【先行技術文献】
【特許文献】
【０００４】
【特許文献１】特開２０１３−１０１７５３号公報
【発明の概要】
【発明が解決しようとする課題】
【０００５】
上記プラグコネクタ及びリセプタクルコネクタのうち、基板側のコネクタでは、中心コンタクトが基板の信号線とはんだ付けで接続され、外部コンタクトが基板のグランド線とはんだ付けで接続される。しかしながら、コネクタと基板とのはんだ付け作業は手間のかかる作業であり、この作業が、機器全体の組み立て時間を短縮する際の障害となっている。
【０００６】
また、中心コンタクト、外部コンタクトと基板とのはんだ付けは、リフロー等の熱処理によって行われる。しかしながら、この熱により、基板に既に実装されている他の電子部品が劣化するおそれがある。
【０００７】
本発明は、上記実情に鑑みてなされたものであり、機器の組み立て時間を短縮するとともに、電子部品への熱の影響を軽減することができるプラグコネクタを提供することを目的とする。
【課題を解決するための手段】
【０００８】
上記目的を達成するために、本発明のプラグコネクタは、
同軸ケーブルに電気的に接続されたリセプタクルコネクタと嵌合し、前記同軸ケーブルと基板とを電気的に接続するプラグコネクタであって、
前記基板を挿入する内部空間が設けられた絶縁性のハウジングと、
前記ハウジングに取り付けられ、前記リセプタクルコネクタに接続された前記同軸ケーブルの外導体と接続可能な導電性のグランド用コンタクトと、
前記ハウジングに取り付けられ、前記同軸ケーブルの内導体と接続可能な導電性の信号用コンタクトと、
を備え、
前記グランド用コンタクトは、
前記内部空間に挿入された前記基板を係止する係止部と、前記基板に配設された接地接点に接触する接触部と、を備え、
前記信号用コンタクトは、
前記係止部に係止された前記基板に配設された信号接点に押し当てられる弾性部材である押当部を備える。
【０００９】
この場合、前記押当部は、
前記信号用コンタクトに固定された一方の固定端から、開放された他方の開放端まで延びる弾性部材であり、
前記固定端と前記開放端との間に前記信号接点と接触する突出部が形成され、
前記基板が前記内部空間に挿入されると、前記突出部が前記信号接点に押し当てられて、弾性変形する、
こととしてもよい。
【００１０】
前記グランド用コンタクトは、
前記基板の挿入方向に直交し、かつ、前記基板の幅広面に平行な方向において前記基板の両端を保持する一対の部材を有し、
前記係止部及び前記接触部は、前記一対の部材に形成されている、
こととしてもよい。
【００１１】
前記一対の部材それぞれは、前記内部空間に挿入される前記基板に押されて弾性変形可能であり、
前記係止部は、前記内部空間に挿入された前記基板に設けられた切り欠きと係止する、
こととしてもよい。
【００１２】
前記一対の部材は、
前記内部空間に挿入された前記基板をその厚み方向に挟み込むＵ字状の部材である、
こととしてもよい。
【発明の効果】
【００１３】
本発明によれば、同軸ケーブルの外導体と接続可能な導電性のグランド用コンタクトの係止部で基板を係止するとともに接触部で基板に配設された接地接点に接触し、同軸ケーブルの内導体と接続可能な導電性の信号用コンタクトの押当部で基板に配設された信号接点と押圧接触する。これにより、基板との間ではんだ付けを行う必要がなくなるため、機器の組み立て時間を短縮するとともに、電子部品への熱の影響を軽減することができる。
【図面の簡単な説明】
【００１４】
【図１】図１（Ａ）及び図１（Ｂ）は、本発明の一実施の形態に係るプラグコネクタの斜視図である。
【図２】図２（Ａ）は、ハウジングの斜視図である。図２（Ｂ）は、ハウジングの正面図である。図２（Ｃ）は、ハウジングの上面図である。
【図３】フレキシブル基板の斜視図である。
【図４】図４（Ａ）は、信号コンタクトの斜視図である。図４（Ｂ）は、グランドコンタクトの斜視図である。
【図５】図５（Ａ）は、フレキシブル基板が挿入される際に信号コンタクトが弾性変形する様子を示す図である。図５（Ｂ）及び図５（Ｃ）は、フレキシブル基板が挿入される際にグランドコンタクトが弾性変形する様子を示す図である。
【図６】プラグコネクタにフレキシブル基板が挿入された状態を示す図である。
【図７】内部空間におけるフレキシブル基板と信号コンタクト及びグランドコンタクトとの接触状態を示す図である（ハウジングは省略している）。
【図８】図８（Ａ）は、リセプタクルコネクタの斜視図である。図８（Ｂ）は、リセプタクルコネクタの側面図である。図８（Ｃ）は、図８（Ｂ）のＦ−Ｆ断面図である。
【図９】プラグコネクタの信号コンタクトの変形例である。
【図１０】プラグコネクタのグランドコンタクトの変形例（その１）である。
【図１１】プラグコネクタのグランドコンタクトの変形例（その２）である。
【図１２】プラグコネクタのグランドコンタクトの変形例（その３）である。
【発明を実施するための形態】
【００１５】
以下、本発明の一実施の形態に係るプラグコネクタについて説明する。図１（Ａ）及び図１（Ｂ）に示すように、プラグコネクタ１０は、全体として直方体状である。
【００１６】
プラグコネクタ１０は、直方体状のハウジング１１と、ＦＰＣ５０（フレキシブルプリント基板、図３参照）の信号接点５１ｓと接続される接点である信号コンタクト１２と、ＦＰＣ５０のグランド接点５１ｇと接続されるグランドコンタクト１３と、を備える。
【００１７】
図２（Ａ）に示すように、ハウジング１１は、樹脂等の絶縁体で形成されている。ハウジング１１には、＋ｘ側から−ｘ側にＦＰＣ５０を挿入する矩形状の挿入口１１ａが設けられている。図２（Ｂ）に示すように、挿入口１１ａは、ハウジング１１の内部空間１１ｂに連通している。この内部空間１１ｂにＦＰＣ５０が収容される。
【００１８】
図３に示すように、ＦＰＣ５０は、平板状のフレキシブル基板であり、その幅広面のｙ軸方向中央部に２つの信号接点５１ｓが設けられている。また、ＦＰＣ５０では、幅広面のｙ軸方向両端部にグランド接点５１ｇが設けられている。信号接点５１ｓは、ＦＰＣ５０内に設けられた信号線とつながっており、グランド接点５１ｇは、ＦＰＣ５０内に設けられたグランド線とつながっている。ＦＰＣ５０の−ｘ側端部近傍の両端には、切り欠き５２が設けられている。このＦＰＣ５０の端部がハウジング１１の挿入口１１ａから内部空間１１ｂに挿入される。
【００１９】
この他、図２（Ｃ）に示すように、ハウジング１１の＋ｚ側の面の中央には、相手方のリセプタクルコネクタ２０（図８等参照）との嵌合部分に入り込む凸部１１ｃが設けられている。さらに、その凸部１１ｃの中央には、相手方のリセプタクルコネクタ２０の嵌合部分の中心にある中心コンタクト２２が入り込む貫通穴１１ｄが設けられている。貫通穴１１ｄは、ハウジング１１の＋ｚ側上部と内部空間１１ｂとを連通する。
【００２０】
また、ハウジング１１では、凸部１１ｃの外周には、円環状の溝１１ｅが設けられており、溝１１ｅのｙ軸方向両端には、一対の直線状の溝１１ｆが設けられている。これらの溝１１ｅ，１１ｆには、グランドコンタクト１３の外部コンタクト１３ａ、保持部１３ｂ（図４（Ｂ）参照）が挿入される。
【００２１】
図４（Ａ）に示すように、信号コンタクト１２は、リセプタクルコネクタ２０に接続された同軸ケーブル３０の内部導体と接続可能な導電性の部材である。信号コンタクト１２は、図４（Ａ）に示すように、ｘ軸方向に延びる本体部１２ａと、本体部１２ａの＋ｘ側端部に設けられた一対の押当部１２ｂと、本体部１２ａの−ｘ側の端部にそれぞれ設けられた、一対の中心コンタクト１２ｃと、ハウジング１１と係止する係止片１２ｄと、を備える。
【００２２】
本体部１２ａは、＋ｘ側の端部で二股に分岐し、各分岐の先端にそれぞれ押当部１２ｂが形成されている。押当部１２ｂは、本体部１２ａの端部を基点として、＋ｘ方向から＋ｚ方向、＋ｚ方向から＋ｘ方向、＋ｘ方向から−ｚ方向、さらに−ｘ方向に折れ曲がっており、全体として約３６０度湾曲した形状となっている。押当部１２ｂの−ｘ方向に延びる部分は、中央が−ｚ側に突出している。この突出した部分がＦＰＣ５０の信号接点５１ｓと接触する突出部１２ｅである。
【００２３】
言い換えると、押当部１２ｂは、信号コンタクト１２に固定された一方の固定端から、開放された他方の開放端まで延びる弾性部材である。そして、固定端と開放端との間にＦＰＣ５０の信号接点５１ｓと接触する突出部１２ｅが形成されている。押当部１２ｂは、ＦＰＣ５０が内部空間１１ｂに挿入されると、突出部１２ｅがＦＰＣ５０に押されて、押当部１２ｂが弾性変形する。
【００２４】
一対の中心コンタクト１２ｃは、本体部１２ａの−ｘ側の端部のｙ軸方向両端にそれぞれ設けられている。中心コンタクト１２ｃ同士は、互いに向かい合うようにして＋ｚ方向に延びている。各中心コンタクト１２ｃは弾性力を有しており、中心コンタクト１２ｃ間に後述するリセプタクルコネクタ２０の中心コンタクト２２（図８（Ｃ）参照）が挿入されると、中心コンタクト１２ｃの間がｙ軸方向に開くように中心コンタクト１２ｃが変形し、一対の中心コンタクト１２ｃが中心コンタクト２２をｙ軸方向に挟みこむ。
【００２５】
信号コンタクト１２は、押当部１２ｂが＋ｘ方向を向き、中心コンタクト１２ｃが押当部１２ｂに対して−ｘ側に位置する状態で、内部空間１１ｂの−ｚ側からハウジング１１に挿入される。このとき、押当部１２ｂは、挿入口１１ａから＋ｘ方向に突出するように配置される。また、係止片１２ｄは、ハウジング１１に係止され、この係止により信号コンタクト１２がハウジング１１に取り付けられ、固定される。
【００２６】
図４（Ｂ）に示すように、グランドコンタクト１３は、＋ｘ側の一部が欠けた円環状の外部コンタクト１３ａと、外部コンタクト１３ａからｙ軸方向両側に張り出す一対の保持部１３ｂと、を備える。外部コンタクト１３ａは、相手方のリセプタクルコネクタ２０の外部コンタクト２３（図８（Ａ）参照）と接触する部分である。外部コンタクト１３ａの外周には、ハウジング１１と係止する係止部１３ｆが設けられている。
【００２７】
保持部１３ｂは、Ｕ字状の部材であり、＋ｚ側の上ビーム１３ｂｕと、−ｚ側の下ビーム１３ｂｄとを、備える。上ビーム１３ｂｕと下ビーム１３ｂｄとは、−ｘ側で連結されている。
【００２８】
上ビーム１３ｂｕには、ハウジング１１の挿入口１１ａに差し込まれるＦＰＣ５０のグランド接点５１ｇに接触する凸状の接点接触部１３ｃと、ＦＰＣ５０の切り欠き５２と係止する係止部１３ｄとが設けられている。また、下ビーム１３ｂｄの先端には、接点接触部１３ｃに対向する凸状の基板保持部１３ｅが設けられている。言い換えれば、保持部１３ｂは、ＦＰＣ５０の挿入方向に直交し、かつ、ＦＰＣ５０の幅広面に平行な方向においてＦＰＣ５０の幅広面の両端を保持する一対の部材である。
【００２９】
外部コンタクト１３ａは、ハウジング１１の円環状の溝１１ｅに＋ｚ側から挿入され、保持部１３ｂは、ハウジング１１の溝１１ｆに＋ｚ側から挿入される。グランドコンタクト１３がハウジング１１に挿入されると、外部コンタクト１３ａの外周側壁に形成された係止部１３ｆがハウジング１１に係止し、この係止により、ハウジング１１にグランドコンタクト１３が固定される。
【００３０】
（ＦＰＣの固定）
ＦＰＣ５０は、ハウジング１１の挿入口１１ａから差し込まれる。この際、図５（Ａ）に示すように、突出部１２ｅはＦＰＣ５０に当接して、押当部１２ｂが弾性変形する。また、図５（Ｂ）の点線で示すように、グランドコンタクト１３の接点接触部１３ｃ、基板保持部１３ｅがＦＰＣ５０に当接して、それらの間隔を広げるように上ビーム１３ｂｕ、下ビーム１３ｂｄが弾性変形する。ＦＰＣ５０が内部空間１１ｂのさらに奥に挿入されると、図５（Ｃ）の点線で示すように、グランドコンタクト１３に形成された係止部１３ｄがＦＰＣ５０に当接し、上ビーム１３ｂｕ、下ビーム１３ｂｄはさらに弾性変形する。
【００３１】
ＦＰＣ５０が内部空間１１ｂの最奥端まで差し込まれると、図６に示すように、ＦＰＣ５０の挿入が完了する。この状態では、ハウジング１１を省略した図７に示すように、ＦＰＣ５０の信号接点５１ｓが信号コンタクト１２の突出部１２ｅと押圧接触し、信号コンタクト１２とＦＰＣ５０の信号線とが導通する。さらに、ＦＰＣ５０のグランド接点５１ｇがグランドコンタクト１３の接点接触部１３ｃと押圧接触し、グランドコンタクト１３とＦＰＣ５０の接地線とが導通する。
【００３２】
また、ＦＰＣ５０が内部空間１１ｂの最奥端まで差し込まれると、グランドコンタクト１３の係止部１３ｄはＦＰＣ５０の切り欠き５２と係止する。これにより、ハウジング１１からのＦＰＣ５０の抜けが防止される。
【００３３】
（リセプタクルコネクタとの嵌合）
本実施の形態に係るプラグコネクタ１０には、図８（Ａ）〜図８（Ｃ）に示すリセプタクルコネクタ２０が差し込まれる。リセプタクルコネクタ２０は、ハウジング２１と、ハウジング２１の中央に設けられた円柱状の中心コンタクト２２と、中心コンタクト２２と同心に設けられた外部コンタクト２３と、を備える。このハウジング２１、中心コンタクト２２及び外部コンタクト２３によって、プラグコネクタ１０との嵌合部分が構成されている。
【００３４】
図８（Ａ）に示すように、リセプタクルコネクタ２０におけるプラグコネクタ１０との嵌合部分は、その一端側に設けられ、その嵌合部分には、同軸ケーブル３０が接続される。リセプタクルコネクタ２０には、同軸ケーブル３０をカバーするカバー部２４が設けられている。カバー部２４は金属の薄板状の部材である。カバー部２４では、＋ｘ方向にケーブル支持部２５が張り出しており、ケーブル支持部２５の固定保持板２５ａが、同軸ケーブル３０の外周被覆材を外方側から覆うように折り曲げられてカシメ固定されている。
【００３５】
同軸ケーブル３０の端末部分は、外周被覆材が皮剥きされることによって中心導体３１と外部導体３２とが同軸状を成すように露出されており、同軸ケーブル３０の中心軸線に沿うようにして配置された中心導体３１が、中心コンタクト２２に接続されている。また、同軸ケーブル３０の外部導体３２は、ケーブル支持部２５の固定保持板２５ｂが外部導体３２を外方側から覆うように折り曲げられてカシメ固定され、カバー部２４及びケーブル支持部２５を介して外部導体３２が外部コンタクト２３に接続されている。これにより、同軸ケーブル３０の中心導体３１と中心コンタクト２２とが導通し、同軸ケーブル３０の外部導体３２と外部コンタクト２３とが導通する。
【００３６】
プラグコネクタ１０と、図８（Ａ）に示すリセプタクルコネクタ２０とが、図８（Ｂ）に示すように、それぞれの嵌合部分同士で嵌合すると、図８（Ｃ）に示すように、リセプタクルコネクタ２０の中心コンタクト２２が、プラグコネクタ１０の一対の中心コンタクト１２ｃの間に挿入され、中心コンタクト１２ｃと接触し、導通する。さらに、リセプタクルコネクタ２０の外部コンタクト２３が、プラグコネクタ１０のグランドコンタクト１３の外部コンタクト１３ａの内周側に挿入され、外部コンタクト１３ａと接触し、導通する。ここで、中心コンタクト１２ｃ（信号コンタクト１２）はＦＰＣ５０の信号接点５１ｓと電気的に接続され、外部コンタクト１３ａ（グランドコンタクト１３）はＦＰＣ５０のグランド接点５１ｇと電気的に接続されている。これにより、同軸ケーブル３０の中心導体がＦＰＣ５０の信号線と電気的に接続され、同軸ケーブル３０の外部導体がＦＰＣ５０のグランド線と電気的に接続され、同軸ケーブル３０とＦＰＣ５０との間で信号の送受信が可能となる。
【００３７】
以上詳細に説明したように、本実施の形態によれば、同軸ケーブル３０の内部導体と接続可能な導電性のグランドコンタクト１３の保持部１３ｂでＦＰＣ５０を保持するとともに接点接触部１３ｃでＦＰＣ５０に配設されたグランド接点５１ｇに接触し、更には、同軸ケーブル３０の中心導体と接続可能な導電性の信号コンタクト１２の突出部１２ｅでＦＰＣ５０に配設された信号接点５１ｓと押圧接触する。これにより、ＦＰＣ５０との間ではんだ付けを行う必要がなくなるため、機器の組み立て時間を短縮するとともに、電子部品への熱の影響を軽減することができる。
【００３８】
なお、上記実施の形態では、プラグコネクタ１０において、ＦＰＣ５０の信号接点５１ｓと接触する信号コンタクト１２の押当部１２ｂを２つ備えていたが、本発明はこれには限られない。例えば、図９に示すように、プラグコネクタ１０では、信号コンタクト１２の代わりに、押当部６２ｂを１つ備える中心コンタクト６２を備えるようにしてもよい。この場合も、押当部６２ｂは、突出部６２ｅを備える。
【００３９】
また、上記実施の形態では、プラグコネクタ１０において、係止部１３ｄをＵ字状の保持部１３ｂの下ビーム１３ｂｄに設けたグランドコンタクト１３を備えるようにした。しかしながら、本発明はこれには限られない。グランドコンタクト１３の代わりに、図１０に示すグランドコンタクト６３を備えるようにしてもよい。グランドコンタクト６３では、ＦＰＣ５０の切り欠き５２と係止する係止部６３ｄが、保持部６３ｂの上ビーム６３ｂｕではなく、下ビーム６３ｂｄに設けられている。また、上ビーム６３ｂｕと下ビーム６３ｂｄの両方に係止部６３ｄを設けるようにしてもよい。
【００４０】
また、上記実施の形態では、接点接触部１３ｃ、係止部１３ｄ及び基板保持部１３ｅが形成される保持部１３ｂをＵ字状としたが、本発明はこれには限られない。例えば、図１１に示すように、グランドコンタクト７３のように、保持部１３ｂに代わりに設けられる保持部７３ｂをＦＰＣ５０の上側に配置される直線状のビームとし、そのビームに接点接触部７３ｃと係止部７３ｄとを設けるようにしてもよい。このように、ＦＰＣ５０が他のもの、例えばハウジング１１に保持されるのであれば、基板保持部１３ｅはなくてもよい。
【００４１】
また、図１２に示すように、グランドコンタクト８３のように、保持部１３ｂに代えて設けられる保持部８３ｂを、ＦＰＣ５０の下側に配置されるビームを備えるものとし、そのビームに接点接触部８３ｃと係止部８３ｄとを設けるようにしてもよい。この場合には、ＦＰＣ５０の−ｚ側の幅広面にグランド接点５１ｇが設けられるようにし、他の部材、例えばハウジング１１と接点接触部８３ｃとでＦＰＣ５０を挟むようにする必要がある。
【００４２】
また、ハウジング１１に挿入されるＦＰＣ５０も図３に示すものには限られない。例えば、信号接点５１ｓ、グランド接点５１ｇは１つでもよいし、３つ以上であってもよい。また、信号接点５１ｓが＋ｚ側の幅広面に形成され、グランド接点５１ｇが−ｚ側の幅広面に形成されるようにしてもよい。この場合、押当部１２ｂ、接点接触部１３ｃについては、信号接点５１ｓ、グランド接点５１ｇが設けられる側に形成されるようにすればよい。
【００４３】
また、押当部１２ｂの形状は、約３６０度折れ曲がった形状の物には限られない。例えば、単に鈍角に折れ曲がった部分を１つだけ有する全体として直線状の板バネであってもよいし、全体としてＵ字状のものであってもよい。しかしながら、本実施の形態のように、押当部１２ｂを約３６０度折れ曲がった形状とすれば、押当部１２ｂの変形方向を、ＦＰＣ５０の挿入口１１ａへの挿入感の良好なものとすることができる。
【００４４】
また、上記実施の形態では、ＦＰＣ５０の切り欠き５２と係止する係止部１３ｄをグランドコンタクト１３に設けたが、グランドコンタクト１３とは別のロック部材を設け、そのロック部材でグランドコンタクト１３と係止するようにしてもよい。
【００４５】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００４６】
本発明は、同軸ケーブルと基板とを接続するコネクタに適用することができる。
【符号の説明】
【００４７】
１０  プラグコネクタ、１１  ハウジング、１１ａ  挿入口、１１ｂ  内部空間、１１ｃ  凸部、１１ｄ  貫通穴、１１ｅ  溝、１１ｆ  溝、１２  信号コンタクト、１２ａ  本体部、１２ｂ  押当部、１２ｃ  中心コンタクト、１２ｄ  係止片、１２ｅ  突出部、１３  グランドコンタクト、１３ａ  外部コンタクト、１３ｂ  保持部、１３ｂｕ  上ビーム、１３ｂｄ  下ビーム、１３ｃ  接点接触部、１３ｄ  係止部、１３ｅ  基板保持部、１３ｆ  係止部、２０  リセプタクルコネクタ、２１  ハウジング、２２  中心コンタクト、２３  外部コンタクト、２４  カバー部、２５  ケーブル支持部、２５ａ  固定保持板、２５ｂ  固定保持板、３０  同軸ケーブル、３１  中心導体、３２  外部導体、５０  ＦＰＣ（フレキシブルプリント基板）、５１ｇ  グランド接点、５１ｓ  信号接点、５２  切り欠き、６２  中心コンタクト、６２ｂ  押当部、６２ｅ  突出部、６３  グランドコンタクト、６３ｂ  保持部、６３ｂｕ  上ビーム、６３ｂｄ  下ビーム、６３ｄ  係止部、７３  グランドコンタクト、７３ｂ  保持部、７３ｃ  接点接触部、７３ｄ  係止部、８３  グランドコンタクト、８３ｂ  保持部、８３ｃ  接点接触部、８３ｄ  係止部
【図１】
2017168407.tif 000003
【図２】
2017168407.tif 000004
【図３】
2017168407.tif 000005
【図４】
2017168407.tif 000006
【図５】
2017168407.tif 000007
【図６】
2017168407.tif 000008
【図７】
2017168407.tif 000009
【図８】
2017168407.tif 000010
【図９】
2017168407.tif 000011
【図１０】
2017168407.tif 000012
【図１１】
2017168407.tif 000013
【図１２】
2017168407.tif 000014